(57)【要約】【課題】金型からダイカスト製品を取り出す際に、ランナーが折れ曲がったり折損したりすることがないようにする。【解決手段】このダイカスト金型１０は、固定型と、固定型に対向配置されて当該固定型に対して離接可能な可動型２１と、可動型２１の離接方向に交差する方向に移動可能な中子３１，４１と、を有し、固定型と可動型２１と中子３１，４１とでキャビティを画成するとともに、固定型又は可動型２１における中子３１との摺接面をランナー５１が交差して形成される金型である。そのようにして形成されるランナー５１は、固定型に対する可動型２１の離接方向に対して略直角に折れ曲がる折れ曲がり形状部５１ｂ，５１ｃを有しており、当該折れ曲がり形状部５１ｂ，５１ｃの内側にＲ面５１ｂ’,５１ｃ’が設けられている。【選択図】図８
2019198881.tif 000002
【特許請求の範囲】
【請求項１】
固定型と、
前記固定型に対向配置されて当該固定型に対して離接可能な可動型と、
前記可動型の離接方向に交差する方向に移動可能な中子と、
を有し、前記固定型と前記可動型と前記中子とでキャビティを画成するとともに、前記固定型又は前記可動型における前記中子との摺接面をランナーが交差して形成されるダイカスト金型であって、
前記ランナーが、前記固定型に対する前記可動型の離接方向に対して略直角に折れ曲がる折れ曲がり形状部を有しており、当該折れ曲がり形状部の内側にＲ面が設けられることを特徴とするダイカスト金型。
【請求項２】
請求項１に記載のダイカスト金型において、
前記固定型又は前記可動型における前記ランナーの形成部位であるランナー形成部にＲ加工が施されることで、前記ランナーのＲ面が形成されることを特徴とするダイカスト金型。
【請求項３】
請求項１又は２に記載のダイカスト金型において、
前記ランナーにおける折れ曲がり形状部の内側に設けられる前記Ｒ面が、前記中子の外周面に設けられたＲ形状部によって形成されることを特徴とするダイカスト金型。
【請求項４】
請求項３に記載のダイカスト金型において、
前記中子が複数設けられ、一の中子に前記Ｒ形状部が設けられたとき、当該Ｒ形状部は他の中子と対向しないように構成されることを特徴とするダイカスト金型。
【請求項５】
請求項１〜４のいずれか１項に記載のダイカスト金型を用いてダイカストを行うことを特徴とするダイカスト法。
【発明の詳細な説明】
【技術分野】
【０００１】
本発明は、鋳造品を鋳造するためのダイカスト金型および当該ダイカスト金型を用いて行うダイカスト法に関する。
【背景技術】
【０００２】
ダイカスト金型については、固定型と可動型と中子とを有する構成が従来から知られており、中子をスライド移動させることにより中子が可動型にセットされ、可動型が固定型に当接することにより固定型と可動型と中子とによってキャビティが画成される。また、鋳造後には、キャビティ内で鋳造された鋳造品をキャビティから取り出すために、可動型および中子を固定型から離間させて型開きを行い、可動型に対して中子をスライド移動させて鋳造品から中子を後退させることが行われる。なお、一般的なダイカスト金型の構成が、例えば、下記特許文献１等に開示されている。
【先行技術文献】
【特許文献】
【０００３】
【特許文献１】特開２０１３−１２８９６１号公報
【発明の概要】
【発明が解決しようとする課題】
【０００４】
ところで、上述した従来のダイカスト金型では、固定型又は可動型における中子との摺接面をランナーが交差して形成され、さらに、このランナーが、固定型に対する可動型の離接方向に対して略直角に折れ曲がる折れ曲がり形状部を有して形成される場合がある。そして、従来のダイカスト金型では、折れ曲がり形状部が角形状で形成されることが一般的であった。しかしながら、ランナーが固定型に対する可動型の離接方向に対して略直角に折れ曲がる折れ曲がり形状部を有する構成の場合、ダイカスト製品の取り出し時にランナーの短い部分から内側に折れ、ダイカスト製品の取り出しが上手くいかない可能性があった。また、型開き時やランナー取り出し時にランナーが折れてしまうと、折れたランナーが金型に残留してしまうので、次回の鋳造の際に型破損となる可能性も有り、従来技術には改善の余地があった。
【０００５】
本発明は、上述した従来技術に存在する課題に鑑みて成されたものであり、その目的は、可動型における中子との摺接面をランナーが交差して形成される形式のダイカスト金型において、金型からダイカスト製品を取り出す際に、ランナーが折れ曲がったり折損したりすることがなく、スムーズな型開き動作とダイカスト製品取り出し動作が可能なダイカスト金型とダイカスト法を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係るダイカスト金型（１０）は、固定型と、前記固定型に対向配置されて当該固定型に対して離接可能な可動型（２１）と、前記可動型（２１）の離接方向に交差する方向に移動可能な中子（３１，４１）と、を有し、前記固定型と前記可動型（２１）と前記中子（３１，４１）とでキャビティを画成するとともに、前記固定型又は前記可動型（２１）における前記中子（３１）との摺接面をランナー（５１）が交差して形成されるダイカスト金型（１０）であって、前記ランナー（５１）が、前記固定型に対する前記可動型（２１）の離接方向に対して略直角に折れ曲がる折れ曲がり形状部（５１ｂ，５１ｃ）を有しており、当該折れ曲がり形状部（５１ｂ，５１ｃ）の内側にＲ面（５１ｂ’，５１ｃ’）が設けられることを特徴とするものである。
【０００８】
本発明に係るダイカスト金型（１０）では、前記固定型又は前記可動型（２１）における前記ランナー（５１）の形成部位であるランナー形成部（２３）にＲ加工（２３ｂ’）が施されることで、前記ランナー（５１）のＲ面（５１ｂ’）が形成されることとしてもよい。
【０００９】
また、本発明に係るダイカスト金型（１０）では、前記ランナー（５１）における折れ曲がり形状部（５１ｃ）の内側に設けられる前記Ｒ面（５１ｃ’）が、前記中子（３１）の外周面に設けられたＲ形状部（３５）によって形成されることとしてもよい。
【００１０】
さらに、本発明に係るダイカスト金型（１０）では、前記中子（３１，４１）が複数設けられ、一の中子（３１）に前記Ｒ形状部（３５）が設けられたとき、当該Ｒ形状部（３５）は他の中子（４１）と対向しないように構成されることが好適である。
【００１１】
また、本発明は、上記のダイカスト金型（１０）を用いてダイカストを行うことを特徴とするダイカスト法を含む。
【発明の効果】
【００１２】
本発明によれば、固定型又は可動型における中子との摺接面をランナーが交差して形成される形式のダイカスト金型において、金型からダイカスト製品を取り出す際に、ランナーが折れ曲がったり折損したりすることがなく、スムーズな型開き動作とダイカスト製品取り出し動作が可能なダイカスト金型とダイカスト法を提供することが可能である。
【図面の簡単な説明】
【００１３】
【図１】本実施形態に係るダイカスト金型を構成する可動型と２つの中子とが組み合わされた状態を示す外観図である。
【図２】可動型の正面視が示された図であり、紙面正面側に配置されたキャビティ形成箇所が簡略化されて示されている。
【図３】可動型の要部が示された要部拡大図である。
【図４】可動型の要部が示された要部拡大図である。
【図５】可動型と第二の中子との組み付け状態を示した要部拡大図である。
【図６】第一の中子と第二の中子との組み付け状態を示した要部拡大図である。
【図７】第一の中子の外観形状を示す図であり、図中の分図（ａ）が側面視を示し、分図（ｂ）が正面視を示し、分図（ｃ）が上面視を示している。
【図８】本実施形態に係るダイカスト金型による鋳造によって不可避的に発生するランナーの形状を示した外観斜視図であり、図中の分図（ａ）、（ｂ）、（ｃ）によって互いに異なる三方向からの外観斜視を示している。
【発明を実施するための形態】
【００１４】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１５】
図１〜図８を用いて、本実施形態に係るダイカスト金型１０を説明する。ここで、図１は、本実施形態に係るダイカスト金型を構成する可動型と２つの中子とが組み合わされた状態を示す外観図である。また、図２は、可動型の正面視が示された図であり、紙面正面側に配置されたキャビティ形成箇所が簡略化されて示されている。また、図３および図４は、可動型の要部が示された要部拡大図である。また、図５は、可動型と第二の中子との組み付け状態を示した要部拡大図である。また、図６は、第一の中子と第二の中子との組み付け状態を示した要部拡大図である。また、図７は、第一の中子の外観形状を示す図であり、図中の分図（ａ）が側面視を示し、分図（ｂ）が正面視を示し、分図（ｃ）が上面視を示している。さらに、図８は、本実施形態に係るダイカスト金型による鋳造によって不可避的に発生するランナーの形状を示した外観斜視図であり、図中の分図（ａ）、（ｂ）、（ｃ）によって互いに異なる三方向からの外観斜視を示している。
【００１６】
本実施形態に係るダイカスト金型１０は、不図示の固定型と可動型２１と第一の中子３１と第二の中子４１とによって構成される。不図示の固定型は、不図示のダイカスト装置に固定して配置される型部材である。一方、可動型２１は、不図示の固定型に対向配置されて当該固定型に対して離接可能に配置される型部材である。また、一の中子としての第一の中子３１と他の中子としての第二の中子４１は、可動型２１の離接方向に交差する方向に移動可能な部材である。図１で示されるダイカスト金型１０において、不図示の固定型は紙面の手前側に設置されていることが想定されており、これに対して可動型２１は、図１の紙面奥側から手前側に向けて移動可能である。さらに、第一の中子３１は、可動型２１の固定型に対する離接方向に直交交差する方向、すなわち、図１の紙面上下方向に移動可能である。またさらに、第二の中子４１は、可動型２１の固定型に対する離接方向に直交交差する方向、すなわち、図１の紙面左右方向に移動可能である。つまり、本実施形態に係るダイカスト金型１０では、第一の中子３１を図１の紙面下方向に向けてスライド移動させることにより第一の中子３１が可動型２１にセットされ、続いて第二の中子４１を図１の紙面右方向に向けてスライド移動させることにより第二の中子４１が可動型２１にセットされ、その後さらに可動型２１が不図示の固定型に向けて図１の紙面手前側に移動して、可動型２１が固定型に当接することにより、固定型と可動型２１と第一の中子３１と第二の中子４１とによるキャビティの画成が行われる。
【００１７】
ここで、図２には、キャビティを画成するために形成された孔型形状部２２が、可動型２１の正面側に簡略化されて示されている。また、図２に示すように、可動型２１には、この孔型形状部２２に接続して形成されたランナー形成部２３が形成されている。ランナー形成部２３は、キャビティに対して溶湯を導入する際にキャビティを真空状態とする際の排気通路として利用される部位である。そして、本実施形態に係るダイカスト金型１０は、図１と図２の左上部を対比して明らかな通り、可動型２１における第一の中子３１との摺接面をランナー形成部２３が交差して形成される構成を有する金型となっている。
【００１８】
また、本実施形態に係るダイカスト金型１０の可動型２１に形成されたランナー形成部２３については、不図示の固定型に対する可動型２１の離接方向に対して略平行方向の中央直線溝２３ａと、不図示の固定型に対する可動型２１の離接方向に対して略直角方向に折れ曲がった２つの端部直曲溝２３ｂ，２３ｃとによって構成されている。そして、ランナー形成部２３を構成する中央直線溝２３ａと反キャビティ側の端部直曲溝２３ｂとの繋ぎ目の溝底部分には、Ｒ加工２３ｂ’が形成されており、一方、ランナー形成部２３を構成する中央直線溝２３ａとキャビティ側の端部直曲溝２３ｃとの繋ぎ目の溝の外側部分には、Ｒ溝２３ｃ’が形成されている。
【００１９】
Ｒ溝２３ｃ’の箇所は、図６および図７で示すように、第一の中子３１の外周面に設けられたＲ形状部３５が当接する箇所である。なお、図５および図６を対比参照して明らかな通り、第一の中子３１の外周面に設けられたＲ形状部３５については、可動型２１に第一の中子３１と第二の中子４１が組み付けられた際に、第一の中子３１のＲ形状部３５と第二の中子４１の外周面とが対向しないように構成されている。すなわち、第一の中子３１と第二の中子４１は、曲率を持ったＲ形状部３５の位置で接触することがなく、互いの外周が平面同士で接触することになるので、ダイカスト金型１０の強度を維持することが可能となっている。
【００２０】
以上説明した本実施形態に係るダイカスト金型１０を用いて鋳造が行われた際に、ダイカスト製品の他に製造上不可避的にランナー５１が生成される。そのランナー５１の外観形状が、図８にて示されている。このランナー５１は、不図示の固定型に対する可動型２１の離接方向に対して略平行方向の中央直線部５１ａと、不図示の固定型に対する可動型２１の離接方向に対して略直角に折れ曲がる２つの折れ曲がり形状部５１ｂ，５１ｃを有している。また、ランナー５１には、２つの折れ曲がり形状部５１ｂ，５１ｃのそれぞれの内側にＲ面５１ｂ’，５１ｃ’が設けられている。
【００２１】
ここで、ランナー５１を構成する部位とダイカスト金型１０との関係について説明すると、中央直線部５１ａは中央直線溝２３ａによって形成され、反キャビティ側の折れ曲がり形状部５１ｂは端部直曲溝２３ｂによって形成され、キャビティ側の折れ曲がり形状部５１ｃは端部直曲溝２３ｃによって形成され、中央直線部５１ａと折れ曲がり形状部５１ｂとの繋ぎ目の曲率の内側に形成されたＲ面５１ｂ’はＲ加工２３ｂ’によって形成され、中央直線部５１ａと折れ曲がり形状部５１ｃとの繋ぎ目の曲率の内側に形成されたＲ面５１ｃ’はＲ溝２３ｃ’に当接した第一の中子３１のＲ形状部３５によって形成されている。このように、ランナー５１を構成する折れ曲がり形状部５１ｂ，５１ｃの内側に対してＲ面５１ｂ’，５１ｃ’を設けることにより、ランナー５１の強度が増し、ダイカスト金型１０の型開き時に不具合が生じ難い構成を実現することが可能となっている。
【００２２】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【産業上の利用可能性】
【００２３】
本発明のダイカスト金型およびダイカスト法は、例えば、高品質な製品をダイカストするダイカスト法の分野において極めて有用である。
【符号の説明】
【００２４】
１０  ダイカスト金型、２１  可動型、２２  孔型形状部、２３  ランナー形成部、２３ａ  中央直線溝、２３ｂ，２３ｃ  端部直曲溝、２３ｂ’  Ｒ加工、２３ｃ’  Ｒ溝、３１  第一の中子（一の中子）、３５  Ｒ形状部、４１  第二の中子（他の中子）、５１  ランナー、５１ａ  中央直線部、５１ｂ，５１ｃ  折れ曲がり形状部、５１ｂ’，５１ｃ’  Ｒ面。
【図１】
2019198881.tif 000003
【図２】
2019198881.tif 000004
【図３】
2019198881.tif 000005
【図４】
2019198881.tif 000006
【図５】
2019198881.tif 000007
【図６】
2019198881.tif 000008
【図７】
2019198881.tif 000009
【図８】
2019198881.tif 000010